(57)【要約】【課題】控え片を得られるとともに、不正開封防止に有効な、二種類の隠蔽情報所持体を選択作成できる隠蔽情報所持体用シートを提供する。【課題の解決手段】隠蔽情報所持体用シートたる隠蔽葉書用シート１は、隠蔽片２に、折り兼切り用ミシン目３，４を介して通知片５，６を設け、隠蔽片２の一面に、剥離可能な弱接着部７と剥離困難な強接着部８ａ，８ｂとを設けて剥離シート１５で被覆し、各通知片５，６の一面側は複写記入面となって、分離可能な控え片２０，２１で被覆され、控え片２０，２１の表出面に記入した隠蔽情報が複写記入面に複写記入されるようになし、通知片５，６の一方が選択されて隠蔽情報が複写記入され、隠蔽情報所持体を作成した時に、その表出面に対応するよう宛名表示を設けるとともに、強接着部８ａ，８ｂの内側に沿う部分に対応するよう開封用マイクロミシン目２８，２９を設ける。【選択図】図３
2011068074.tif 000002
【特許請求の範囲】
【請求項１】
折り兼切り部を介して連接した三紙片からなり、これら三紙片の少なくとも一つは隠蔽片で、残りは通知片であり、隠蔽片同士、通知片同士は互いに隣接しないようになして、隣接する隠蔽片と通知片の組み合わせを選択することで二種類の隠蔽情報所持体を作成しうる隠蔽情報所持体用シートであって、前記隠蔽片の一面側には、接着後に剥離可能な弱接着部とその外側に位置する接着後に剥離困難な強接着部とからなる接着部を設けて剥離シートを剥離可能に接着し、前記通知片は、前記接着部設置面と同一面側を複写記入面として、分離可能な保護シートで被覆するとともに、前記保護シートの表出面に記入した隠蔽情報が前記複写記入面に複写記入されるように、前記複写記入面と前記保護シートとの対向面には相対的に複写構造を設けてなり、前記隠蔽片と前記通知片のいずれか一方の前記接着部設置面とは反対面側には宛名表示を設け、前記通知片にはこれを隣接する前記隠蔽片に前記折り兼切り部から折り重ねた時に対向する前記強接着部の内側に沿う部分に開封用切り部を設けてなることを特徴とする隠蔽情報所持体用シート。
【請求項２】
隠蔽片の左右に通知片を連接してなることを特徴とする請求項１記載の隠蔽情報所持体用シート。
【請求項３】
剥離シートと保護シートとは、それぞれ各別のシートからなることを特徴とする請求項１または請求項２記載の隠蔽情報所持体用シート。
【請求項４】
隠蔽片に宛名表示を設け、前記隠蔽片の宛名表示面とは反対面側と、各通知片の前記宛名表示面側には、それぞれ地紋印刷を施してなることを特徴とする請求項２または請求項３記載の隠蔽情報所持体用シート。
【発明の詳細な説明】
【技術分野】
【０００１】
本発明は、隠蔽情報記入欄に記載した情報を隠蔽した状態で、表示された宛先に届けることのできる隠蔽情報所持体を作成するための隠蔽情報所持体用シートに関し、特に、二種類の隠蔽情報所持体を選択作成することができる隠蔽情報所持体用シートに関する。
【背景技術】
【０００２】
従来から、折り重ねられる２枚、あるいは３枚の紙片の適宜な重ね合わせ面に隠蔽情報を表示し、この重ね合わせ面に接着後に剥離可能な接着剤を設ける一方、折り重ね時に露出する面側に宛名表示を表示し、この宛名表示の表示先に届けられる隠蔽情報所持体、及びこの隠蔽情報所持体を作成するための隠蔽情報所持体用シートは、種々の構成のものが知られている。また、特に、二種類の隠蔽情報所持体を作成するためのものとして、例えば、複数の宛先から選択した一つの宛先に隠蔽情報を伝達するために、複数の宛名表示片と接着後に剥離可能な粘着層を設けた一枚の隠蔽片とを備え、宛名表示片の隠蔽片で被覆される部分に隠蔽情報記入欄を設ける一方、隠蔽片で被覆されない部分に宛名表示をあらかじめ表示してなる隠蔽情報所持体用シートが提案されている（特許文献１）。
【先行技術文献】
【特許文献】
【０００３】
【特許文献１】特開２００７−１１８３９０号公報
【発明の概要】
【発明が解決しようとする課題】
【０００４】
しかし、この提案されている隠蔽情報所持体用シートは、隠蔽情報を記入した際に控えが欲しい場合には、そのコピーをとらなければならないので煩雑であるという不都合がある。また、隠蔽片を剥離可能に接着する粘着層は、一旦剥離しても、粘着力が残っている限り再接着可能であるため、隠蔽情報を改ざんした上隠蔽片を再接着した、不正開封を識別できないという不都合もある。本発明は、このような不都合を解消した隠蔽情報所持体用シートを提供することを目的とする。
【課題を解決するための手段】
【０００５】
この目的を達成するため本発明の請求項１に係る隠蔽情報所持体を作成するための隠蔽情報所持体用シートは、折り兼切り部を介して連接した三紙片からなり、これら三紙片の少なくとも一つは隠蔽片で、残りは通知片であり、隠蔽片同士、通知片同士は互いに隣接しないようになして、隣接する隠蔽片と通知片の組み合わせを選択することで二種類の隠蔽情報所持体を作成しうる隠蔽情報所持体用シートであって、前記隠蔽片の一面側には、接着後に剥離可能な弱接着部とその外側に位置する接着後に剥離困難な強接着部とからなる接着部を設けて剥離シートを剥離可能に接着し、前記通知片は、前記接着部設置面と同一面側を複写記入面として、分離可能な保護シートで被覆するとともに、前記保護シートの表出面に記入した隠蔽情報が前記複写記入面に複写記入されるように、前記複写記入面と前記保護シートとの対向面には相対的に複写構造を設けてなり、前記隠蔽片と前記通知片のいずれか一方の前記接着部設置面とは反対面側には宛名表示を設け、前記通知片にはこれを隣接する前記隠蔽片に前記折り兼切り部から折り重ねた時に対向する前記強接着部の内側に沿う部分に開封用切り部を設けてなるものである。
【０００６】
また、本発明の請求項２に係る隠蔽情報所持体を作成するための隠蔽情報所持体用シートは、上記請求項１の構成において、隠蔽片の左右に通知片を連接してなるものである。
【０００７】
さらに、本発明の請求項３に係る隠蔽情報所持体を作成するための隠蔽情報所持体用シートは、上記請求項１または請求項２の構成において、剥離シートと各保護シートとは、それぞれ各別のシートからなるものである。
【０００８】
またさらに、本発明の請求項４に係る隠蔽情報所持体を作成するための隠蔽情報所持体用シートは、上記請求項２または請求項３の構成において、隠蔽片に宛名表示を設け、前記隠蔽片の宛名表示面とは反対面側と、各通知片の前記宛名表示面側には、それぞれ地紋印刷を施してなるものである。
【発明の効果】
【０００９】
本発明に係る隠蔽情報所持体用シートによれば、保護シートを控えとして利用でき、また、作成した隠蔽所持体は、重ね合わせて接着した各紙片を剥離するには開封用切り部を破断する必要がある一方、この破断した開封用切り部を元状態に復帰させることはできないので、不正開封の識別が容易であるという効果を奏する。これらの効果に加えて、本発明の請求項３に係る隠蔽情報所持体用シートによれば、各紙片を三つ折りする際に、剥離シートと保護シートは各別に構成されているので、各シートにシワが生じることなく、容易かつ確実に三つ折りすることができるという効果を奏するものであり、本発明の請求項４に係る隠蔽情報所持体用シートによれば、作成した隠蔽情報所持体において、地紋印刷が隠蔽情報を両面側から挟んで確実に隠蔽できるという効果を奏するものである。
【図面の簡単な説明】
【００１０】
【図１】本発明を隠蔽葉書用シートに適用した第１の実施形態における重ね合わせ接着面側を示す斜視図。
【図２】反対面側を示す平面図。
【図３】図１のＡ−Ａ線断面図。
【図４】隠蔽情報記入後に保護シート及び剥離シートを剥離した状態の重ね合わせ接着面側を示す平面図。
【図５】作成した隠蔽葉書を示す斜視図。
【図６】隠蔽葉書の重ね合わせ接着面を剥離した状態を示す斜視図。
【図７】本発明を隠蔽葉書用シートに適用した第２の実施形態における重ね合わせ接着面側を示す斜視図。
【図８】反対面側を示す平面図。
【図９】図７のＢ−Ｂ線断面図。
【図１０】隠蔽情報記入後に保護シート及び剥離シートを剥離した状態の重ね合わせ接着面側を示す平面図。
【図１１】作成した隠蔽葉書の宛名表示面側を示す斜視図。
【図１２】同じく反対面側を示す斜視図。
【図１３】隠蔽葉書の重ね合わせ接着面を剥離した状態を示す斜視図。
【図１４】本発明を隠蔽葉書用シートに適用した第３の実施形態における重ね合わせ接着面側を示す斜視図。
【図１５】反対面側を示す平面図。
【図１６】図１４のＣ−Ｃ線断面図。
【図１７】隠蔽情報記入後に保護シート及び剥離シートを剥離した状態の重ね合わせ接着面側を示す平面図。
【図１８】作成した隠蔽葉書を示す斜視図。
【図１９】隠蔽葉書の重ね合わせ接着面を剥離した状態を示す斜視図。
【発明を実施するための形態】
【００１１】
以下、本発明を隠蔽葉書を作成するための隠蔽葉書用シートに適用した実施形態について説明するが、まず、第１の実施形態について添付図面の図１〜図６に基づき説明する。
【００１２】
図１〜図３に示すように、隠蔽葉書用シート１は、隠蔽片２と、この隠蔽片２にそれぞれ折り兼切り部たる折り兼切り用ミシン目３，４を介して連接した通知片５，６とからなる。図３に示すように、前記隠蔽片２の一面側には、公知の接着後に剥離可能な弱い接着力を有する接着剤を塗布してなる弱接着部７と、この弱接着部７の両外側に公知の接着後に剥離困難な強い接着力を有する接着剤を塗布してなる強接着部８ａ，８ｂとを設けている。これら弱接着部７と強接着部８ａ，８ｂとによって接着部を構成する。そして、前記各強接着部８ａ，８ｂと前記各折り兼切り用ミシン目３，４の間の帯状部分に、それぞれ「郵便はがき」という葉書表示９，１０をあらかじめ設けている。
【００１３】
図４に示すように、隠蔽片２の各折り兼切り用ミシン目３，４に沿った帯状の葉書表示９，１０部分を除いた部分には、交差する斜線で示す地紋が印刷された地紋印刷部１１が設けられている。この地紋印刷部１１において、２本の仮想線Ｐ，Ｑの内側が弱接着部７に対応し、その外側が強接着部８ａ，８ｂに対応する。なお、この地紋印刷部１１に換えて、宣伝文や案内文を表示してもよい。また、便宜上、図４においては、弱接着部７及び強接着部８ａ，８ｂを図示省略し、図３においては地紋印刷部１１を図示省略している。
【００１４】
図２に示すように、隠蔽片２の接着部７，８ａ，８ｂ設置面とは反対面側には、交差する斜線で示す地紋が印刷された地紋印刷部１２が設けられている。また、各通知片５，６の前記地紋印刷部１２と同一面側には、同一会社の「支払い取扱センター」に属するが、「口座振替係」と「クレジットカード係」というように宛先部署が互いに異なる宛名表示１３，１４をあらかじめ表示している。
【００１５】
図１及び図３に示すように、隠蔽片２には、これと同一大の剥離シート１５を裏面に設けた剥離剤層１６によって、弱接着部７及び強接着部８ａ，８ｂに剥離可能に接着している。そして、前記剥離シート１５の表出面には、隠蔽葉書用シート１の使用方法に関する説明文１７をあらかじめ表示している。
【００１６】
図１及び図３に示すように、各通知片５，６には、各折り兼切り用ミシン目３，４に沿って間隔をおいて点状に塗布した接着剤１８，１９で、保護シートたる控え片２０，２１を接着し、各控え片２０，２１は所定以上の力で捲り上げると接着された各通知片５，６から分離可能となっている。各控え片２０，２１は裏面に複写用のカーボン層２２，２３を設けたバックカーボン紙であり、控え片２０の表出面には「口座振替申込書」という表題の下に、口座振替による支払いを希望する場合に、口座番号や口座名義人などの所定情報を記入する隠蔽情報記入欄２４が設けられている。また、控え片２１の表出面には「クレジットカード支払申込書」という表題の下に、クレジットカードによる支払いを希望する場合に、カード番号やカード名義人などの所定情報を記入する隠蔽情報記入欄２５が設けられている。
【００１７】
図４に示すように、各通知片５，６の各カーボン層２２，２３との対向面が複写記入面となって、各控え片２０，２１の各隠蔽情報記入欄２４，２５に記入した隠蔽情報が複写記入面に設けた各隠蔽情報複写記入欄２６，２７に複写記入される。前記通知片５には、折り兼切り用ミシン目３で隠蔽片２に折り重ねたときに、強接着部８ｂの内側に沿った位置、すなわち仮想線Ｑに対応する位置に、開封用切り部たる開封用マイクロミシン目２８を設けている。同様に、前記通知片６には、折り兼切り用ミシン目４で隠蔽片２に折り重ねたときに、強接着部８ａの内側に沿った位置、すなわち仮想線Ｐに対応する位置に、開封用切り部たる開封用マイクロミシン目２９を設けている。
【００１８】
通知片５，６の一方と隠蔽片２との２片の組み合わせで隠蔽葉書となる隠蔽葉書用紙片を形成するもので、前記各通知片５，６は同一幅であり、前記隠蔽片２の幅はこれら通知片５，６の幅よりも葉書表示９，１０を設けている帯状部分だけ広くなっている。したがって、通知片５を選択して、折り兼切り用ミシン目３から隠蔽片２の弱接着部７及び強接着部８ａ，８ｂ設置面側に折り重ねた場合には、葉書表示１０が露出し、通知片６を選択して、折り兼切り用ミシン目４から隠蔽片２の弱接着部７及び強接着部８ａ，８ｂ設置面側に折り重ねた場合には、葉書表示９が露出することになる。
【００１９】
続いて、上述した隠蔽葉書用シート１の使用方法を説明する。隠蔽葉書用シート１は、図１〜図３状態において各通知片５，６を控え片２０，２１とともに各折り兼切り用ミシン目３，４で隠蔽片２の剥離シート１５側に折り重ねた三つ折り状態で、封筒（図示せず）に挿入封緘し、電話会社やリース会社など定期的に支払いが発生するサービス提供会社から顧客に郵送される。この三つ折りの際、剥離シート１５と各控え片２０，２１は別体に構成されているので、シワになることなく、容易、かつ確実に折り重ねることができる。封筒を受領した顧客は、封筒から隠蔽葉書用シート１を取り出して図１〜図３状態に展開し、説明文１７を読んで支払いを口座振替で行なうか、クレジットカードで行なうかを決定したうえ、決定結果に応じて通知片５，６を選択して、対応する控え片２０，２１の隠蔽情報記入欄２４，２５に所定事項を記入する。
【００２０】
ここで例えば、クレジットカード支払いを選択した場合には、控え片２１の隠蔽情報記入欄２５に必要事項を記入すると、同一事項が通知片６の隠蔽情報複写記入欄２７に複写記入される（図４参照）。その後、あるいは記入前における適宜な時期に、もう一方の通知片５を控え片２０とともに折り兼切り用ミシン目３を破断して切り離す。次いで、前記控え片２１を通知片６から分離する一方、剥離シート１５を剥離し、露出した隠蔽片２の弱接着部７及び強接着８ａ，８ｂに対して、折り兼切り用ミシン目４から前記通知片６を折り重ねて接着する。これによって、図５に示すように、葉書表示９及び宛名表示１４が露出し、隠蔽情報複写記入欄２７に複写記入した隠蔽情報３０（図４参照）が隠蔽片２よって被覆隠蔽された隠蔽葉書３１が作成される。
【００２１】
隠蔽葉書３１は、既に宛名表示１４が表示されているので、このまま通常の官製葉書と同様に使用可能である。この隠蔽葉書３１を受領した、サービス提供会社では、開封用マイクロミシン目２９を破断しながら通知片６を隠蔽片２から捲り上げると、弱接着部７は剥離可能なので、折り部側の強接着部８ｂを残して見開き状態となり、図６に示すように、隠蔽情報３０を確認することができる。そして、記入内容に応じた処理を行うものである。
【００２２】
なお、上述の例とは逆に、口座振替による支払いを選択して控え片２０の隠蔽情報記入欄２４に所定情報を記入した場合にも、控え片２１とともに通知片６を折り兼切り用ミシン目４を破断して切り離し、控え片２０を通知片５から分離するとともに剥離シート１５を剥離して、前記通知片５と隠蔽片２とから上述と同様にして隠蔽葉書（図示せず）を作成し、これを使用することができる。
【００２３】
続いて、本発明を隠蔽葉書を作成するための隠蔽葉書用シートに適用した第２の実施形態について添付図面の図７〜図１３に基づき説明する。
【００２４】
図７〜図９に示すように、隠蔽葉書用シート４１は、隠蔽片４２と、この隠蔽片４２の両側にそれぞれ折り兼切り部たる折り兼切り用ミシン目４３，４４を介して連接した各通知片４５，４６とからなる。図９に示すように、前記隠蔽片４２の一面側には、公知の接着後に剥離可能な弱い接着力を有する接着剤を塗布してなる弱接着部４７と、この弱接着部７の両外側に前記各折り兼切り用ミシン目４３，４４に沿って、公知の接着後に剥離困難な強い接着力を有する接着剤を塗布してなる強接着部４８ａ，４８ｂとを設けている。
【００２５】
図１０に示すように、隠蔽片４２の各接着部４７，４８ａ，４８ｂ設置面には、交差する斜線で示す地紋が印刷された地紋印刷部４９が設けられている。この地紋印刷部４９において、２本の仮想線Ｒ，Ｓの内側が弱接着部４７に対応し、その外側が強接着部４８ａ，４８ｂに対応する。なお、便宜上、図１０においては、弱接着部４７及び強接着部４８ａ，４８ｂを図示省略し、図８においては地紋印刷部４９を図示省略している。
【００２６】
図８に示すように、隠蔽片４２の各接着部４７，４８ａ，４８ｂ設置面と反対面側には、宛名表示５０と葉書表示５１をあらかじめ表示している。また、各通知片４５，４６の前記宛名表示５０表示面と同一面側には、交差する斜線で示す地紋が印刷された地紋印刷部５２，５３が設けられている。
【００２７】
図７及び図９に示すように、隠蔽片４２と各通知片４５，４６には、各折り兼切り用ミシン目５４，５５を介して連接されてなる各同一大の剥離シート５６及び保護シートたる各控え片５７，５８を重ね合わせている。前記剥離シート５６は、裏面に設けた剥離剤層５９によって、弱接着部４７及び強接着部４８ａ，４８ｂに剥離可能に接着している。そして、前記剥離シート５６の表出面には、隠蔽葉書用シート４１の使用方法に関する説明文６０をあらかじめ表示している。
【００２８】
図９に示すように、各控え片５７，５８は、各通知片４５，４６に、各折り兼切り用ミシン目４３，４４に沿って間隔をおいて点状に塗布した接着剤６１，６２で接着され、各控え片５７，５８は所定以上の力で捲り上げると接着された各通知片４５，４６から分離可能となっている。各控え片５７，５８の裏面には、公知の発色剤を塗布してなる発色剤層６３，６４を設ける一方、各通知片４５，４６には、前記各発色剤層６３，６４と対向するように公知の顕色剤を塗布してなる顕色剤層６５，６６を設けて、複写構造を構成している。
【００２９】
図７に示すように、控え片５７の表出面には「口座振替申込書」という表題の下に、口座振替による支払いを希望する場合に、口座番号や口座名義人などの所定情報を記入する隠蔽情報記入欄６７が設けられている。また、控え片５８の表出面には「クレジットカード支払申込書」という表題の下に、クレジットカードによる支払いを希望する場合に、カード番号やカード名義人などの所定情報を記入する隠蔽情報記入欄６８が設けられている。
【００３０】
図１０に示すように、図９の顕色剤層６５，６６設置面に対応する各通知片４５，４６面が複写記入面となって、控え片５７，５８の隠蔽情報記入欄６７，６８に記入した隠蔽情報が複写記入面に設けた隠蔽情報複写記入欄６９，７０に複写記入される。前記通知片４５には、折り兼切り用ミシン目４３で隠蔽片４２に折り重ねたときに、強接着部４８ｂの内側に沿った位置、すなわち仮想線Ｓに対応する位置に、開封用切り部たる開封用マイクロミシン目７１を設けている。同様に、前記通知片４６には、折り兼切り用ミシン目４４で隠蔽片４２に折り重ねたときに、強接着部４８ａの内側に沿った位置、すなわち仮想線Ｒに対応する位置に、開封用切り部たる開封用マイクロミシン目７２を設けている。
【００３１】
隠蔽片４２と通知片４５，４６の一方との２片の組み合わせで隠蔽葉書となる隠蔽葉書用紙片を形成するもので、前記隠蔽片４２と前記各通知片４５，４６、及びこれらと重ねられた剥離シート５６と各控え片５７，５８は、すべて同一大に形成されている。
【００３２】
続いて、上述した隠蔽葉書用シート４１の使用方法を説明する。隠蔽葉書用シート４１は、図７〜図９状態において各通知片４５，４６を控え片５７，５８とともに、各折り兼切り用ミシン目４３，４４，５４，５５で隠蔽片４２の剥離シート５６側に折り重ねた三つ折り状態で、封筒（図示せず）に挿入封緘し、電話会社やリース会社など定期的に支払いが発生するサービス提供会社から顧客に郵送される。封筒を受領した顧客は、封筒から隠蔽葉書用シート４１を取り出して図７〜図９状態に展開し、説明文６０を読んで支払いを口座振替で行なうか、クレジットカードで行なうかを決定したうえ、決定結果に応じて通知片４５，４６を選択して、対応する控え片５７，５８の隠蔽情報記入欄６７，６８に所定事項を記入する。
【００３３】
ここで例えば、口座振替を選択した場合には、控え片５７の隠蔽情報記入欄６７に必要事項を記入すると、同一事項が通知片４５の隠蔽情報複写記入欄６９に複写記入される（図１０参照）。その後、あるいは記入する前における適宜な時期に、もう一方の通知片４６を控え片５８とともに折り兼切り用ミシン目４４，５５を破断して切り離す。次いで、前記控え片５７を折り兼切り用ミシン目５４を破断しながら分離する一方、剥離シート５６を剥離し、露出した隠蔽片４２の弱接着部４７及び強接着４８ａ，４８ｂに対して、折り兼切り用ミシン目４３から前記通知片４５を折り重ねて接着する。これによって、図１１，１２に示すように、葉書表示５１及び宛名表示５０が露出し、隠蔽情報複写記入欄６９に複写記入した隠蔽情報７３（図１０参照）が隠蔽片４２よって被覆隠蔽された隠蔽葉書７４が作成される。この際、隠蔽情報７３は地紋印刷部４９，５２を設けた面に挟まれた状態となるので、隠蔽葉書７４の表出面側から視認されることがなく、確実に隠蔽された状態となる。
【００３４】
隠蔽葉書７４は、既に宛名表示５０が表示されているので、このまま通常の官製葉書と同様に使用可能である。この隠蔽葉書７４を受領した、サービス提供会社では、開封用マイクロミシン目７１を破断しながら通知片４５を隠蔽片４２から捲り上げると、弱接着部４７は剥離可能なので、折り部側の強接着部４８ａを残して見開き状態となり、図１３に示すように、隠蔽情報７３を確認することができる。そして、記入内容に応じた処理を行うものである。
【００３５】
なお、上述の例とは逆に、クレジットカードによる支払いを選択して控え片５８の隠蔽情報記入欄６８に所定情報を記入した場合にも、控え片５７とともに通知片４５を折り兼切り用ミシン目４３，５４を破断して切り離し、控え片５８を折り兼切り用ミシン目５５を破断し分離するとともに剥離シート５６を剥離して、前記隠蔽片４２と通知片４６とから上述と同様にして隠蔽葉書（図示せず）を作成し、これを使用することができる。
【００３６】
さらに続いて、本発明を隠蔽葉書を作成するための隠蔽葉書用シートに適用した第３の実施形態について添付図面の図１４〜図１９に基づき説明する。
【００３７】
図１４〜図１６に示すように、隠蔽葉書用シート８１は、隠蔽片８２と、この隠蔽片８２にそれぞれ折り兼切り部たる折り兼切り用ミシン目８３，８４を介して連接した各通知片８５，８６とからなる。図１６に示すように、前記隠蔽片８２の一面側には、公知の接着後に剥離可能な弱い接着力を有する接着剤を塗布してなる弱接着部８７と、この弱接着部８７の両外側に公知の接着後に剥離困難な強い接着力を有する接着剤を塗布してなる強接着部８８ａ，８８ｂとを設けて、接着部としている。そして、前記強接着部８８ｂと折り兼切り用ミシン目８３の間の帯状部分に、「郵便はがき」という葉書表示８９をあらかじめ設けている（図１７参照）。
【００３８】
図１７に示すように、隠蔽片８２の帯状の葉書表示８９部分を除いた部分には、交差する斜線で示す地紋が印刷された地紋印刷部９１が設けられている。この地紋印刷部９１において、２本の仮想線Ｕ，Ｖの内側が弱接着部８７に対応し、その外側が強接着部８８ａ，８８ｂに対応する。なお、この地紋印刷部９１に換えて、宣伝文や案内文を表示してもよい。また、便宜上、図１７においては、弱接着部８７及び強接着部８８ａ，８８ｂを図示省略し、図１６においては地紋印刷部９１を図示省略している。
【００３９】
図１５に示すように、隠蔽片８２の接着部８７，８８ａ，８８ｂ設置面とは反対面側には、交差する斜線で示す地紋が印刷された地紋印刷部９２が設けられている。また、各通知片８５，８６の前記地紋印刷部９２と同一面側には、同一会社の「支払い取扱センター」に属するが、「口座振替係」と「クレジットカード係」というように宛先部署が互いに異なる宛名表示９３，９４をあらかじめ表示している。また、前記通知片８５の上端部には、「郵便はがき」という葉書表示９０をあらかじめ設けている。
【００４０】
図１４及び図１６に示すように、隠蔽片８２には、これと同一大の剥離シート９５を裏面に設けた剥離剤層９６によって、弱接着部８７及び強接着部８８ａ，８８ｂに剥離可能に接着している。そして、前記剥離シート９５の表出面には、隠蔽葉書用シート８１の使用方法に関する説明文９７をあらかじめ表示している。
【００４１】
図１４及び図１６に示すように、各通知片８５，８６には、各折り兼切り用ミシン目８３，８４に沿って間隔をおいて点状に塗布した接着剤９８，９９で、保護シートたる控え片１００，１０１を接着し、各控え片１００，１０１は所定以上の力で捲り上げると接着された各通知片８５，８６から分離可能となっている。各控え片１００，１０１は裏面に複写用のカーボン層１０２，１０３を設けたバックカーボン紙であり、控え片１００の表出面には「口座振替申込書」という表題の下に、口座振替による支払いを希望する場合に、口座番号や口座名義人などの所定情報を記入する隠蔽情報記入欄１０４が設けられている。また、控え片１０１の表出面には「クレジットカード支払申込書」という表題の下に、クレジットカードによる支払いを希望する場合に、カード番号やカード名義人などの所定情報を記入する隠蔽情報記入欄１０５が設けられている。
【００４２】
図１７に示すように、各通知片８５，８６の各カーボン層１０２，１０３との対向面が複写記入面となって、控え片１００，１０１の隠蔽情報記入欄１０４，１０５に記入した隠蔽情報が複写記入面に設けた隠蔽情報複写記入欄１０６，１０７に複写記入される。前記通知片８５には、折り兼切り用ミシン目８３で隠蔽片８２に折り重ねたときに、強接着部８８ｂの内側に沿った位置、すなわち仮想線Ｖに対応する位置に、開封用切り部たる開封用マイクロミシン目１０８を設けている。同様に、前記通知片８６には、折り兼切り用ミシン目８４で隠蔽片８２に折り重ねたときに、強接着部８８ａの内側に沿った位置、すなわち仮想線Ｕに対応する位置に、開封用切り部たる開封用マイクロミシン目１０９を設けている。
【００４３】
通知片８５，８６の一方と隠蔽片８２との２片の組み合わせで隠蔽葉書となる隠蔽葉書用紙片を形成するもので、前記通知片８５と前記隠蔽片８２は同一幅であり、前記通知片８６の幅は前記通知片８５と前記隠蔽片８２の幅よりも葉書表示８９を設けている帯状部分だけ狭くなっている。したがって、通知片８５を選択して、折り兼切り用ミシン目８３から隠蔽片８２の弱接着部８７及び強接着部８８ａ，８８ｂ設置面側に折り重ねた場合には、葉書表示９０が露出し、通知片８６を選択して、折り兼切り用ミシン目８４から隠蔽片８２の弱接着部８７及び強接着部８８ａ，８８ｂ設置面側に折り重ねた場合には、葉書表示８９が露出することになる。
【００４４】
続いて、上述した隠蔽葉書用シート８１の使用方法を説明する。隠蔽葉書用シート８１は、図１４〜図１６状態において各通知片８５，８６を控え片１００，１０１とともに各折り兼切り用ミシン目８３，８４で隠蔽片８２の剥離シート９５側に折り重ねた三つ折り状態で、封筒（図示せず）に挿入封緘し、電話会社やリース会社など定期的に支払いが発生するサービス提供会社から顧客に郵送される。この三つ折りの際、剥離シート９５と各控え片１００，１０１は別体に構成されているので、シワになることなく、容易、かつ確実に折り重ねることができる。封筒を受領した顧客は、封筒から隠蔽葉書用シート８１を取り出して図１４〜図１６状態に展開し、説明文９７を読んで支払いを口座振替で行なうか、クレジットカードで行なうかを決定したうえ、決定結果に応じて通知片８５，８６を選択して、対応する控え片１００，１０１の隠蔽情報記入欄１０４，１０５に所定事項を記入する。
【００４５】
ここで例えば、クレジットカード支払いを選択した場合には、控え片１０１の隠蔽情報記入欄１０５に必要事項を記入すると、同一事項が通知片８６の隠蔽情報複写記入欄１０７に複写記入される（図１７参照）。その後、あるいは記入前における適宜な時期に、もう一方の通知片８５を控え片１００とともに折り兼切り用ミシン目８３を破断して切り離す。次いで、前記控え片１０１を通知片８６から分離する一方、剥離シート９５を剥離し、露出した隠蔽片８２の弱接着部８７及び強接着８８ａ，８８ｂに対して、折り兼切り用ミシン目８４から前記通知片８６を折り重ねて接着する。これによって、図１８に示すように、葉書表示８９及び宛名表示９４が露出し、隠蔽情報複写記入欄１０７に複写記入した隠蔽情報１１０（図１７参照）が隠蔽片８２よって被覆隠蔽された隠蔽葉書１１１が作成される。
【００４６】
隠蔽葉書１１１は、既に宛名表示９４が表示されているので、このまま通常の官製葉書と同様に使用可能である。この隠蔽葉書１１１を受領した、サービス提供会社では、開封用マイクロミシン目１０９を破断しながら通知片８６を隠蔽片８２から捲り上げると、弱接着部８７は剥離可能なので、折り部側の強接着部８８ｂを残して見開き状態となり、図１９に示すように、隠蔽情報１１０を確認することができる。そして、記入内容に応じた処理を行うものである。
【００４７】
なお、上述の例とは逆に、口座振替による支払いを選択して控え片１００の隠蔽情報記入欄１０４に所定情報を記入した場合にも、控え片１０１とともに通知片８６を折り兼切り用ミシン目８４を破断して切り離し、控え片１００を通知片８５から分離するとともに剥離シート９５を剥離して、表出面側に葉書表示９０を設けた前記通知片８５と隠蔽片８２とから上述と同様にして隠蔽葉書（図示せず）を作成し、これを使用することができる。
【００４８】
なお、本発明は、上述の各実施形態に限定されるものではなく、例えば、隠蔽情報３０，７３，１１０を複写記入する為の複写構造は、カーボン層２２，２３，１０２，１０３や発色剤６３，６４と顕色剤６５，６６の組み合わせに換えて自己発色剤を用いてもよい。また、折り兼切り部は、ミシン目３，４，４３，４４，５４，５５，８３，８４に限らず、切り取り指示線でもよいものである。さらに、強接着部８ａ，８ｂ，４８ａ，４８ｂ，８８ａ．８８ｂは、当初は接着剤を塗布しておかず、顧客が使用時に接着剤を塗布するよう構成してもよい。またさらに、開封用マイクロミシン目２８，２９，７１，７２，１０８，１０９は、各折り兼切り用ミシン目３，４，４３，４４，８３，８４と反対側端に沿って設けるのではなく、各折り兼切り用ミシン目３，４，４３，４４，８３，８４側に沿って設けて、折り重ね時に各折り兼切り用ミシン目３，４，４３，４４，８３，８４側の強接着部８ａ，８ｂ，４８ａ，４８ｂ，８８ａ，８８ｂの内側に対応するよう構成してもよい。
【符号の説明】
【００４９】
１，４１，８１      隠蔽葉書用シート
２，４２，８２      隠蔽片
３，４，４３，４４，５４，５５，８３，８４      折り兼切り用ミシン目
５，６，４５，４６．８５，８６      通知片
７，４７，８７      弱接着部
８ａ，８ｂ，４８ａ，４８ｂ，８８ａ、８８ｂ      強接着部
９，１０，５１，８９，９０      葉書表示
１１，１２，５２，５３，９１，９２      地紋印刷部
１３，１４，５０，９３，９４      宛名表示
１５，５６，９５      剥離シート
１６，５９，９６      剥離剤層
１７，６０，９７      説明文
１８，１９、６１，６２，９８，９９      接着剤
２０，２１，５７，５８，１００，１０１      控え片
２２，２３，１０２，１０３      カーボン層
２４，２５，６７，６８，１０４，１０５      隠蔽情報記入欄
２６，２７，６９，７０，１０６，１０７      隠蔽情報複写記入欄
２８，２９，７１，７２，１０８，１０９      開封用マイクロミシン目
３０，７３，１１０      隠蔽情報
３１，７４，１１１      隠蔽葉書
６３，６４      発色剤層
６５，６６      顕色剤層
【図１】
2011068074.tif 000003
【図２】
2011068074.tif 000004
【図３】
2011068074.tif 000005
【図４】
2011068074.tif 000006
【図５】
2011068074.tif 000007
【図６】
2011068074.tif 000008
【図７】
2011068074.tif 000009
【図８】
2011068074.tif 000010
【図９】
2011068074.tif 000011
【図１０】
2011068074.tif 000012
【図１１】
2011068074.tif 000013
【図１２】
2011068074.tif 000014
【図１３】
2011068074.tif 000015
【図１４】
2011068074.tif 000016
【図１５】
2011068074.tif 000017
【図１６】
2011068074.tif 000018
【図１７】
2011068074.tif 000019
【図１８】
2011068074.tif 000020
【図１９】
2011068074.tif 000021